(57)【要約】【課題】  記録媒体を収納するマガジンと、画像を形成するプリント部と、マガジンとプリント部との間に配置された供給ローラと、マガジン内に配置された補助ローラ対とを備え、供給ローラと補助ローラ対とは、記録媒体をプリント部に向けて送り出す正転方向とマガジン内に戻す逆転方向とに駆動可能な記録媒体処理装置を、複数の記録媒体搬送路どうしが供給ローラの外周面で合流する構成の場合にも、回収される記録媒体の弛み部分が合流部の空間内で詰まる現象を解消するべく改良する。【解決手段】  少なくとも、正転方向に関して上流側で供給ローラに外接する記録媒体搬送路に対応するマガジンにおいて、補助ローラ対を、供給ローラ１１よりも小さな周速度で正転駆動される補助供給ローラ２５と、供給ローラ１１よりも大きな周速度で逆転駆動される補助回収ローラ２６とで構成した。【選択図】        図２
2006327806.tif 000002
【特許請求の範囲】
【請求項１】
ロール状に巻かれた長尺の記録媒体を収納するマガジンと、記録媒体に画像を形成するためのプリント部と、前記マガジンから記録媒体を引き出して前記プリント部に搬送する搬送機構とを有し、前記搬送機構は、前記マガジンと前記プリント部との間に配置された供給ローラと、前記マガジン内に配置された補助ローラ対とを備え、前記供給ローラと前記補助ローラ対とは、回転駆動力を伝達する伝達機構によって互いに連結されており、且つ、前記マガジンから引き出された記録媒体を前記プリント部に向けて送り出す正転方向と記録媒体を前記マガジン内に戻す逆転方向との間で切り換え可能に構成されている記録媒体処理装置であって、
前記マガジンは複数のマガジンからなり、前記複数のマガジンから延設された複数の記録媒体搬送路どうしが前記供給ローラの外周面付近にて合流するように構成されており、
前記複数の記録媒体搬送路のうち、少なくとも、前記正転方向に関して前記供給ローラの外周面における上流側の位置に外接する記録媒体搬送路に対応する前記マガジンにおいて、前記補助ローラ対は、前記供給ローラの周速度よりも小さな周速度で前記正転方向に駆動される補助供給ローラと、前記供給ローラの周速度よりも大きな周速度で前記逆転方向に駆動される補助回収ローラとからなり、且つ、前記補助供給ローラに前記正転方向の駆動力のみを伝達し、前記補助回収ローラに前記逆転方向の駆動力のみを伝達するワンウェイクラッチ機構が設けられている記録媒体処理装置。
【発明の詳細な説明】
【技術分野】
【０００１】
本発明は、ロール状に巻かれた長尺の記録媒体を収納するマガジンと、記録媒体に画像を形成するためのプリント部と、前記マガジンから記録媒体を引き出して前記プリント部に搬送する搬送機構とを有し、前記搬送機構は、前記マガジンと前記プリント部との間に配置された供給ローラと、前記マガジン内に配置された補助ローラ対とを備え、前記供給ローラと前記補助ローラ対とは、回転駆動力を伝達する伝達機構によって互いに連結されており、且つ、前記マガジンから引き出された記録媒体を前記プリント部に向けて送り出す正転方向と記録媒体を前記マガジン内に戻す逆転方向との間で切り換え可能に構成されている記録媒体処理装置に関する。
【背景技術】
【０００２】
この種の記録媒体処理装置の一例が下記の特許文献１に記されている。この特許文献１に記された記録媒体処理装置では、供給ローラと補助ローラ対の間での搬送速度の相違から搬送中の記録媒体に弛みが生じることを抑制するために、補助ローラ対を、供給ローラの周速度よりも小さな周速度で正転方向に駆動される補助供給ローラと、供給ローラの周速度よりも大きな周速度で逆転方向に駆動される補助回収ローラとから構成し、さらに、補助供給ローラに正転方向の駆動力のみを伝達し、補助回収ローラに逆転方向の駆動力のみを伝達するワンウェイクラッチ機構を設けている。
【０００３】
【特許文献１】特開平８−２５４８０７号公報（段落番号００１７、００１９、図２、図３）
【発明の開示】
【発明が解決しようとする課題】
【０００４】
しかし、特許文献１に記された発明は、単一のマガジンが備えられた構成を前提としており、複数のマガジンが備えられ、いずれか一方のマガジンから選択的に記録媒体を引き出された記録媒体にプリント部にて画像を形成する構成、より具体的には、複数のマガジンの各開口部から延設された複数の記録媒体搬送路が供給ローラの外周面付近にて合流するように構成された記録媒体処理装置において生じる問題については考慮されていなかった。すなわち、後者の場合、図５に例示するように、正転方向（矢印Ｒ１の方向）に関して供給ローラ４１の外周面における上流側の位置で供給ローラ４１の外周面に外接する記録媒体搬送路Ｔ１においては、搬送路を構成するガイド板５２を記録媒体Ｐに損傷を与え難い面取り部５２ｃを備えた形状とする必要があるために、供給ローラ４１から離間した位置に頂点を有する三角形を呈したデッドボリュームである空間Ｖが合流位置、より具体的には、記録媒体Ｐを巻き掛けて搬送する供給ローラ４１の径方向外側で給紙方向上流側の位置に形成されるという特殊な状況が止むを得ず生じる。しかも、記録媒体Ｐは供給ローラ４１の軸芯寄りに中心を持つ円弧状に湾曲するカール傾向を有する。また、供給ローラ４１の回転駆動力が２つのアイドルギヤ５３，５４を含む伝達機構によって補助ローラ対５０ａ，５０ｂに伝達されるように構成されている。その結果、マガジンＭ１に記録媒体Ｐを回収する際に、供給ローラ４１の逆転回転（矢印Ｒ２の方向）を開始した時に、伝達機構内で生じるバックラッシュ等のために、補助ローラ対の補助回収ローラ５０ｂが供給ローラ４１よりも遅れて回転開始される結果、記録媒体Ｐに弛み部分Ｐ′が形成され、この弛み部分Ｐ′が記録媒体搬送路Ｔ１内のデッドボリュームである空間Ｖに詰まってジャミングの原因となる虞があった。
【０００５】
したがって、本発明の目的は、複数のマガジンを備え、複数のマガジンの各開口部から延設された複数の記録媒体搬送路が供給ローラの外周面付近にて合流するように構成された記録媒体処理装置において、マガジンに記録媒体を戻す際に、記録媒体の弛み部分がこのデッドボリュームである空間内に詰まる現象を抑制可能な記録媒体処理装置を提供することにある。
【課題を解決するための手段】
【０００６】
本発明の特徴構成は、ロール状に巻かれた長尺の記録媒体を収納するマガジンと、記録媒体に画像を形成するためのプリント部と、前記マガジンから記録媒体を引き出して前記プリント部に搬送する搬送機構とを有し、前記搬送機構は、前記マガジンと前記プリント部との間に配置された供給ローラと、前記マガジン内に配置された補助ローラ対とを備え、前記供給ローラと前記補助ローラ対とは、回転駆動力を伝達する伝達機構によって互いに連結されており、且つ、前記マガジンから引き出された記録媒体を前記プリント部に向けて送り出す正転方向と記録媒体を前記マガジン内に戻す逆転方向との間で切り換え可能に構成されている記録媒体処理装置であって、
前記マガジンは複数のマガジンからなり、前記複数のマガジンから延設された複数の記録媒体搬送路どうしが前記供給ローラの外周面付近にて合流するように構成されており、
前記複数の記録媒体搬送路のうち、少なくとも、前記正転方向に関して前記供給ローラの外周面における上流側の位置に外接する記録媒体搬送路に対応する前記マガジンにおいて、前記補助ローラ対は、前記供給ローラの周速度よりも小さな周速度で前記正転方向に駆動される補助供給ローラと、前記供給ローラの周速度よりも大きな周速度で前記逆転方向に駆動される補助回収ローラとからなり、且つ、前記補助供給ローラに前記正転方向の駆動力のみを伝達し、前記補助回収ローラに前記逆転方向の駆動力のみを伝達するワンウェイクラッチ機構が設けられている点にある。
【０００７】
したがって、本発明の特徴構成による記録媒体処理装置では、マガジンに記録媒体を戻す際に、伝達機構内で生じるバックラッシュ等に起因して記録媒体に弛み部分が生じても、補助回収ローラが、供給ローラの周速度よりも大きな周速度で逆転方向に駆動されるので、記録媒体の弛みは迅速に解消され、記録媒体搬送路内のデッドボリュームである空間内に記録媒体が詰まる現象を抑制できる。また、マガジンからプリント部へ記録媒体を供給する際には、補助供給ローラは供給ローラの周速度よりも小さな周速度で正転方向に駆動されるので、記録媒体に弛みが生じない。
【発明を実施するための最良の形態】
【０００８】
本発明による最良の実施形態について図面を参照しながら以下に説明する。
〔写真プリント装置の構成〕
図１に示す写真プリント装置は、与えられた画像データに基づいてプリントデータを作成するためのオペレート部Ａと、このプリントデータを印画紙にプリントするためのプリント処理部Ｂ（記録媒体処理装置の一例）とを備えている。
【０００９】
オペレート部Ａは、写真フィルム１の画像情報をＲ、Ｇ、Ｂの３原色に色分解しデジタル信号化して取り込むフィルムスキャナ３と、処理情報を表示するディスプレイ４と、キーボード５とをテーブル６の上面に備え、テーブル６の下方位置に汎用コンピュータからなるデータ処理装置７を備えている。データ処理装置７にはＣＤ−ＲやＤＶＤ−Ｒ等に記録された画像データや、半導体メディアに記録された画像データを取得するメディアドライブ８が備えられている。
【００１０】
プリント処理部Ｂは、印画紙Ｐ（記録媒体の一例）にプリントデータに基づく潜像を形成する露光部ＥＸと、露光部ＥＸから送られて来た印画紙Ｐに複数の現像処理槽で現像処理を行う現像処理部ＤＥと、現像処理後のプリントを乾燥させる乾燥処理部ＤＲとを備える。尚、乾燥処理部ＤＲで乾燥されたプリントは、コンベアベルト９上に送り出され、コンベアベルト９からソータ（図示せず）に送り出される。また、露光部ＥＸと現像処理部ＤＥとの間には、露光済みの印画紙Ｐを表裏反転させて上方にある現像処理部ＤＥの入口部まで搬送する縦搬送装置ＣＶが介装されている。
【００１１】
露光部ＥＸは、印画紙Ｐをロール状に収納した第１マガジンＭ１と、第１マガジンＭ１から印画紙Ｐを引き出してプリントサイズに切断して水平方向に搬送する供給ユニットＳと、供給ユニットＳによって送られて来た印画紙Ｐに画像データの露光を行う露光ユニットＥｍとを備える。
供給ユニットＳは、第１マガジンＭ１から引き出された印画紙Ｐを横向きに送り出す供給ローラ１１と、印画紙Ｐをプリントサイズに切断するカッター１３と、切断された印画紙Ｐを水平方向に送る挟持型の横搬送機構１４とを有する。
【００１２】
露光ユニットＥｍは、横搬送装置１３からの印画紙Ｐを受け取る圧着型の搬入ローラ対１６と、ＲＧＢの３原色のレーザビームを下方に向けて送り出す露光エンジン１５と、搬入ローラ１６対から受け取った印画紙Ｐを、露光エンジン１５から出射されるレーザビームを主走査方向に走査させながら副走査方向に搬送するために、露光エンジン１５のビーム出射部１５ａを基準にして、印画紙Ｐの搬送上手側と搬送下手側とに配置された二対の露光ローラ対１７，１８を備える。各露光ローラ対１７，１８は、固定された軸芯を持つ下方の露光搬送ローラ１７と、露光搬送ローラ１７に対して印画紙Ｐを上方から圧着可能な従動ローラ１８とからなる。
【００１３】
縦搬送装置ＣＶは、露光ユニットＥｍから単列で水平方向に送り出される印画紙Ｐを受け取り、その印画紙Ｐの表裏を反転した状態で上方（搬送方向の下流側）に排出するリバース機構Ｒと、このリバース機構Ｒから排出される印画紙Ｐを受け取って上方に移動し、現像処理部ＤＥの入口部に位置する受け入れユニットＤに受け渡す単一の挟持機構Ｃとを備えている。挟持機構Ｃは、印画紙Ｐを印画紙Ｐの幅方向に離間した、受け入れユニットＤ内の２つの位置に交互に受け渡すことで、現像処理部ＤＥ内を搬送される印画紙Ｐを２列に振り分けることができる。
また、プリント処理部Ｂには、第１マガジンＭ１とは別に、予備の第２マガジンＭ２をオプションとして取り付けることができるように構成されており、供給ユニットＳには、第１、第２マガジンＭ１，Ｍ２のいずれか一方から供給される印画紙Ｐを湾曲させながら受け入れるための受入れターン部１０が設けられている。
【００１４】
図２に示すように、受入れターン部１０は、供給ローラ１１と、一対の従動ローラ１２ａ，１２ｂとを有する。一対の従動ローラ１２ａ，１２ｂは、印画紙Ｐの幅方向に延出した棒状のフレーム１２Ｆの下面に、圧着用の圧縮コイルばね１２ｓを介して支持されており、この圧縮コイルばね１２ｓの付勢力によって供給ローラ１１に押し付けられている。
さらに、受入れターン部１０には、印画紙Ｐを供給ローラ１１の外周面に沿って案内するペーパーガイド３０が設けられている。このペーパーガイド３０には、第１マガジンＭ１からの印画紙Ｐの基材面と対向する垂直ガイド面３１ａを備えた第１ガイド板３１、第１マガジンＭ１からの印画紙Ｐの乳剤面と対向する垂直ガイド面３２ａと、第２マガジンＭ２からの印画紙Ｐの基材面と対向する傾斜ガイド面３２ｂとを備えた第２ガイド板３２、及び、第２マガジンＭ２からの印画紙Ｐの乳剤面と対向する傾斜ガイド面３３ａを備えた第３ガイド板３３が含まれる。
【００１５】
第１ガイド板３１の垂直ガイド面３１ａと第２ガイド板３２の垂直ガイド面３２ａとは協働して、第１マガジンＭ１からの印画紙Ｐを供給ローラ１１の外周面に案内する垂直に延びた第１搬送路Ｔ１を形成している。同様に、第２ガイド板３２の傾斜ガイド面３２ｂと第３ガイド板３３の傾斜ガイド面３３ａとは協働して、第２マガジンＭ２からの印画紙Ｐを供給ローラ１１の外周面に案内する傾斜した第２搬送路Ｔ２の一部を形成している。ここでは、第２搬送路Ｔ２は、垂直に延出した第１搬送路Ｔ１に対して約４５°の傾斜を示しているが、傾斜の角度はこれに限らず、１０°〜７０°の範囲内、より好適には２０°〜６０°の範囲内に収まる値であれば良い。第１ガイド板３１には供給ローラ１１の外周面の一部を露出させる開口部が形成され、第３ガイド板３３には従動ローラ１２ａ，１２ｂの外周面の一部を露出させる開口部が形成されている。
【００１６】
尚、第１マガジンＭ１からの印画紙Ｐの乳剤面にガイド部材の鋭角に尖った角部が損傷を与え難いように、第２ガイド板３２の垂直ガイド面３２ａと傾斜ガイド面３２ｂとの間には、第２搬送路Ｔ２と交差する面取り状の傾斜面３２ｃが形成されており、その結果、供給ローラ１１の外周面付近に位置する、第１搬送路Ｔ１と第２搬送路Ｔ２との合流部、より具体的には、印画紙Ｐを巻き掛けて搬送する供給ローラ１１の径方向外側で給紙方向上流側の位置には、デッドボリュームである空間Ｖが形成されている。空間Ｖは、供給ローラ１１の外周面に沿って上下に延びた底辺と、供給ローラ１１の径方向外側に位置する頂点とを有する横向きの三角形を呈している。
【００１７】
第１マガジンＭ１の内部には、印画紙Ｐを圧着して搬送する補助ローラ対２０ａ，２０ｂが設けられている。補助ローラ対２０ａ，２０ｂは、固定された軸芯を有する補助供給ローラ２０ａと、補助供給ローラ２０ａに対して圧着された圧着状態と離間した圧着解除状態との間で、矢印Ｒ３に沿って変位可能な補助回収ローラ２０ｂとからなる。補助回収ローラ２０ｂを補助供給ローラ２０ａに対して圧着させるバネなどの付勢手段は図から省略されている。
供給ローラ１１は、モータＭ１によって、印画紙Ｐを露光エンジン１５向きに供給するための正転回転（矢印Ｒ１）と、一旦引き出された印画紙Ｐを第１マガジンＭ１に回収するための逆転回転（矢印Ｒ２）とのいずれの方向にも回転駆動可能に構成されている。モータＭ１による回転駆動力は、互いに噛合した２つのアイドルギヤ２３，２４からなる伝達機構を介して、供給ローラ１１の回転軸に固定された出力ギヤ２２から、補助供給ローラ２０ａの回転軸部材に固定された入力ギヤ２５へと伝達される。補助供給ローラ２０ａの入力ギヤ２５は、補助回収ローラ２０ｂの回転軸部材に固定された連動ギヤ２６と噛合している。
【００１８】
尚、補助供給ローラ２０ａとその回転軸部材との間には、入力ギヤ２５から補助供給ローラ２０ａに正転方向の駆動力を伝達するが、逆転方向の駆動力を伝達しないワンウェイクラッチ４０ａが設けられている。他方、補助回収ローラ２０ｂとその回転軸部材との間には、連動ギヤ２６から補助回収ローラ２０ｂに逆転方向の駆動力を伝達するが、正転方向の駆動力を伝達しないワンウェイクラッチ４０ｂが設けられている。
また、入力ギヤ２５と連動ギヤ２６とは、歯数が等しく同一の回転数で回転するが、補助供給ローラ２０ａは補助回収ローラ２０ｂよりも僅かに小さな外径を備えるため（図は外径の差を誇張して記している）、補助供給ローラ２０ａは、供給ローラ１１の周速度よりも僅かに小さな周速度で正転方向にのみ回転駆動され、他方、補助回収ローラ２０ｂは、供給ローラ１１の周速度よりも僅かに大きな周速度で逆転方向に駆動される。
【００１９】
このような構成を適用した結果、印画紙Ｐの回収のためにモータＭ１を逆転駆動開始した時、もしも出力ギヤ２２、２つのアイドルギヤ２３，２４、入力ギヤ２５、及び、連動ギヤ２６からなる伝達機構の内部で発生するバックラッシュのために、連動ギヤ２６の回転開始が遅れ、供給ローラ１１と補助ローラ対２０ａ，２０ｂとの間で印画紙Ｐの弛みが発生しても、この弛みは、供給ローラ１１よりも大きな周速度で駆動される補助回収ローラ２０ｂによって迅速に吸収されて解消されるため、空間Ｖなどにおけるジャミングの発生が抑制される。他方、露光エンジン１５側へ印画紙Ｐを供給するためにモータＭ１を正転駆動開始した時、出力ギヤ２２、２つのアイドルギヤ２３，２４、入力ギヤ２５、及び、連動ギヤ２６からなる伝達機構の内部で発生するバックラッシュのために、入力ギヤ２５の回転開始が遅れ、供給ローラ１１と補助ローラ対２０ａ，２０ｂとの間で印画紙Ｐの弛みが発生しても、この弛みは、補助供給ローラ２０ａよりも大きな周速度で駆動される供給ローラ１１によって迅速に吸収されて解消されるため第１搬送路Ｔ１におけるジャミングの発生も抑制される。
【００２０】
尚、補助回収ローラ２０ｂを補助供給ローラ２０ａに圧着させるための前記圧着手段（図示せず）の付勢力は、従動ローラ１２ａ，１２ｂを供給ローラ１１に圧着させている圧縮コイルばね１２ｓの付勢力を下回るように設定されているので、供給ローラ１１と補助ローラ対２０ａ，２０ｂとの間での搬送速度の相違から、印画紙Ｐが損傷を受けるような過度のテンションは生じることがなく、また、印画紙Ｐの搬送速度は基本的に供給ローラ１１の周速度が支配する構成となる。
【００２１】
ここで第１マガジンＭ１は、第１搬送路Ｔ１と第２搬送路Ｔ２（複数の記録媒体搬送路の一例）のうち、供給ローラ１１の正転方向に関して供給ローラ１１の外周面における上流側の位置に外接する搬送路、すなわち第１搬送路Ｔ１に対応するマガジンを意味する。
他方の第２マガジンＭ２に関しては、第１マガジンＭ１と同様の構成としても良いが、第２マガジンＭ２へ回収される印画紙Ｐは、そのカール傾向の方向と空間Ｖとの位置関係のために、空間Ｖでジャミングを引き起こし難いので、ワンウェイクラッチ４０ａ，４０ｂの構成のみを適用し、補助供給ローラと補助回収ローラの間の搬送速度は等しい構成としても良い。
【００２２】
〔別実施形態〕
〈１〉印画紙Ｐを第１搬送路Ｔ１に沿ってマガジンＭ１に回収する際に記録媒体がデッドボリュームである空間Ｖに詰まってジャミングを起こす傾向を抑制するためには、伝達機構を構成するアイドルギヤを無くすことでバックラッシュを無くす、或いは、小さくすることも有効である。すなわち、図３に例示した構成では、供給ローラ１１と一体回転するタイミングギヤ５６、補助回収ローラ３６と一体回転するタイミングギヤ５７、これら２つのタイミングギヤ５６，５７の間に巻回されたタイミングベルト５８、および、タイミングベルト５８に張力を保持させるためのテンションプーリ５９とからなるベルト駆動機構を伝達機構として用いている。ここでは、ワンウェイクラッチ４０ａ，４０ｂは設けてあるが、補助供給ローラ３５と補助回収ローラ３６との間で、ローラの外径および搬送速度は互いに等しい構成としてある。
【００２３】
〈２〉或いは、印画紙Ｐを第１搬送路Ｔ１に沿ってマガジンＭ１に回収する際に記録媒体がデッドボリュームである空間Ｖに詰まってジャミングを起こす傾向を抑制するためには、図４に例示するように、アイドルギヤ５３，５４を、ベアリングを介して枢支する構成とすることでバックラッシュを無くす、或いは、小さくすることも有効である。すなわち、従来の構成では、アイドルギヤ５３，５４が断面円形の軸５１ａ，５１ｂに直接外嵌されていたために、プリント処理部Ｂのケーシングに固定された軸５１ａ，５１ｂに対して軸芯の径方向に比較的大きな遊びがあったが、これらのアイドルギヤ５３，５４を軸５１ａ，５１ｂに外嵌させたベアリング６０上に固定することで軸芯の径方向での遊びを無くす或いは著しく減らすことができる。すなわち、図４の実施形態では、軸芯方向に並置された一対のベアリング６０のインナーレースが遊びの無い形で軸５１ａ，５１ｂに外嵌固定され、アイドルギヤ５３，５４が遊びの無い形でベアリング６０のアウターレースに外嵌固定されているので、アイドルギヤ５３，５４は軸５１ａ，５１ｂに対して軸芯の径方向での遊びが殆ど無い。ここでも、ワンウェイクラッチ４０ａ，４０ｂは設けてあるが、補助供給ローラと補助回収ローラとの間で、外径および搬送速度は互いに等しい構成としてある。
【産業上の利用可能性】
【００２４】
本発明は、ロール状の記録媒体を収納するマガジンと、記録媒体に画像を形成するプリント部と、マガジンから記録媒体を引き出してプリント部に搬送する搬送機構とを有し、前記搬送機構は、マガジンとプリント部との間に配置された供給ローラと、マガジン内に配置された補助ローラ対とを備え、供給ローラと補助ローラ対とは、マガジンから引き出された記録媒体をプリント部に向けて送り出す正転方向と記録媒体をマガジン内に戻す逆転方向との間で切り換え可能に構成されている記録媒体処理装置を、複数のマガジンから延設された複数の記録媒体搬送路どうしが供給ローラの外周面付近にて合流するように構成されている場合にも、マガジンに記録媒体を戻す際に、記録媒体の弛み部分が合流部に形成されたデッドボリュームである空間内に詰まる現象を解消するべく改良することに利用できる。
【図面の簡単な説明】
【００２５】
【図１】写真プリント装置の構成図
【図２】マガジンから印画紙を受け入れる受入れターン部を示す側面図
【図３】別実施形態を示す側面図
【図４】さらに別の実施形態を示す側面図
【図５】従来技術の構成を示す側面図
【符号の説明】
【００２６】
Ａ  オペレート部
Ｂ  プリント処理部（記録媒体処理装置）
ＤＥ  現像処理部
ＤＲ  乾燥処理部
Ｐ  印画紙（記録媒体）
Ｍ１，Ｍ２  マガジン
Ｅｍ  露光ユニット（プリント部）
１０  受入れターン部
１１  供給ローラ（搬送機構）
１２ａ，１２ｂ  従動ローラ
１４  横搬送機構
１５  露光エンジン（プリント部）
２５  補助供給ローラ（補助ローラ対、搬送機構）
２６  補助回収ローラ（補助ローラ対、搬送機構）
２３，２４  アイドルギヤ（伝達機構）
３１  第１ガイド板
３２  第２ガイド板
３３  第３ガイド板
４０ａ，４０ｂ  ワンウェイクラッチ
Ｔ１  第１搬送路（記録媒体搬送路）
Ｔ２  第２搬送路（記録媒体搬送路）
Ｖ  空間（デッドボリューム）
【図１】
2006327806.tif 000003
【図２】
2006327806.tif 000004
【図３】
2006327806.tif 000005
【図４】
2006327806.tif 000006
【図５】
2006327806.tif 000007